(57)【要約】      （修正有）【課題】信号をリアルタイムに転送及び記憶するプロセッサー構造を提供する。【解決手段】マザーボード１０は電源入力ポート、プロセッシングコア、信号出力ポート、記憶装置及びイメージ出力ポートを備え、電源入力ポート１１は、導線によって電源に外接し、マザーボード１０とディスプレイ２０に電源を供給する。プロセッシングコア１２は、内部に処理プログラムが書き込まれ、信号入力ポート１３及び記憶装置とそれぞれ接続し、信号入力ポートは転送ケーブルにより工作機ユニットの出力ポートと接続し、記憶装置１４はプロセッシングコア１２により整理された信号を直接ファイルに書き込み、ディスプレイは信号コネクタ２１によりマザーボード１０のイメージ出力ポート１５と接続する。これにより信号をリアルタイムに転送及び記憶するプロセッサー構造を構成する。【選択図】図２
0003177922.tif 000002
【実用新案登録請求の範囲】
【請求項１】
信号をリアルタイムに転送及び記憶するプロセッサー構造であって、
マザーボード及びディスプレイを備え、
マザーボードは電源入力ポート、プロセッシングコア、信号出力ポート、記憶装置及びイメージ出力ポートを備え、
電源入力ポートは、導線によって電源に外接し、マザーボードとディスプレイに電源を供給し、
プロセッシングコアは、内部に処理プログラムが書き込まれ、信号入力ポート及び記憶装置とそれぞれ接続し、
信号入力ポートは転送ケーブルにより工作機ユニットの出力ポートと接続し、
工作機ユニットが稼動し始め、データが出力される際、リアルタイム的に信号入力ポートからマザーボード内部のプロセッシングコアに入って整理され、
記憶装置はプロセッシングコアで整理された信号を直接ファイルに書き込み、
該記憶装置はメモリーカードを挿入するための拡張スロットを有し、
ディスプレイは信号コネクタによりマザーボードのイメージ出力ポートと接続することを特徴とする、信号をリアルタイムに転送及び記憶するプロセッサー構造。
【請求項２】
電源入力ポートはＵＳＢユニバーサルシリアルバスであって、これによりパソコンと接続して電源の入力をする、または情報の転送ができることを特徴とする、請求項１に記載の信号をリアルタイムに転送及び記憶するプロセッサー構造。
【請求項３】
信号入力ポートはＲＳ−２３２、ＲＳ−４２２またはＲＳ−４８５のデジタル信号を転送するシリアル、パラレルポートであることを特徴とする、請求項１に記載の信号をリアルタイムに転送及び記憶するプロセッサー構造。
【請求項４】
信号入力ポートは４〜２０ｍＡまたはＤＣ０〜１０Ｖ等のアナログ信号を転送するコネクタであることを特徴とする、請求項１に記載の信号をリアルタイムに転送及び記憶するプロセッサー構造。
【請求項５】
信号入力ポートは、ＵＳＢユニバーサルシリアルバスであることを特徴とする、請求項１に記載の信号をリアルタイムに転送及び記憶するプロセッサー構造。
【請求項６】
マザーボードの内部にさらに万年暦装置が設けられ、且つ該万年暦は持続的に時間を表示できるように独立電源を有することを特徴とする、請求項１に記載の信号をリアルタイムに転送及び記憶するプロセッサー構造。
【請求項７】
マザーボード及びディスプレイの外側に、さらにカバー用筐体を備え、マザーボード及びディスプレイの外側を囲むように配置し、保護機能を果たすことを特徴とする、請求項１に記載の信号をリアルタイムに転送及び記憶するプロセッサー構造。
【請求項８】
マザーボードはさらにもう一つの信号出力ポートを有し、該構造は該信号出力ポートを介してパソコンまたはプリンターと直接に接続し、これにより該記憶装置内の情報データをさらにパソコン内に記憶し、または直接プロセッシングコアにより整理された後の情報をプリンターによってリアルタイムに出力することを特徴とする、請求項１に記載の信号をリアルタイムに転送及び記憶するプロセッサー構造。
【請求項９】
マザーボードはさらに、キーボード接続用に供するキーボードキーボードコネクタを有し、これにより直接ディスプレイで見ることが可能であり、さらに整理後に該記憶装置内に書き込まれた情報をキーボードで修正、編集できることを特徴とする、請求項１に記載の信号をリアルタイムに転送及び記憶するプロセッサー構造。
【考案の詳細な説明】
【技術分野】
【０００１】
本考案はプロセッサー構造を提供するものであり、特に、信号をリアルタイムに転送及び記憶することが可能なプロセッサー構造であり、信号が入力されたとき直ちに整理し記憶装置内に書き込み、情報、データのファイル作成及び記憶を完了させ、ペーパーレス化の保存方式を実現し、これにより紙の使用を減少させ、情報の保存の便利性を高めることができる。
【背景技術】
【０００２】
従来、工作機ユニットが稼動された後、ファイルを作成して該工作機ユニットが生成するデータを保存する際、多くの場合は工作機ユニットとプリンターを転送ケーブルでつなぎ、該稼動時に生成されたデータを直接プリンターから出力し、さらに稼働の時間、品番、または工作機番号によりファイリング動作を行う。しかしデータ、情報は、工作機ユニット稼働時は必ず記録の保存を行わなければならず、よって日を追って徐々に生成されるリストにより紙は多くなり、情報の保管が不便になり且つスペースを占拠する。且つ使用者が以前ファイリングした情報を探す際にも、情報の多さゆえに探すことが不便になる。また、従来プリンターとつないでリストを出力する方式で情報の保存を行う場合の問題点を解決するために、使用者がもう一台のパソコンを設置して、工作機ユニットとつないで転送を行い、該工作機ユニットの稼動により生成したデータ、情報は直接コンピュータに転送されファイルを作成し、電子ファイルとなり使用者のファイリングによる保存及び探し出すことを便利にすることが行われている。しかしコンピュータを使用した場合、体積は比較的大きく、仕事環境から見れば適切ではなく、さらに工作機ユニットと接続するコンピュータを設ける必要があり、該コンピュータが必要とするコストも比較的高く、実用性が乏しく、経済的なメリットを有しない。
【０００３】
上記に鑑みて、考案者は関連製品の製造及び開発、設計に長年携わってきた経験から、上記目標に対して設計を行い、慎重に評価した後、実用性を有する本考案を得ることができた。
【考案の概要】
【考案が解決しようとする課題】
【０００４】
（１）従来、工作機ユニットがファイルを作成して記録を行う際に、転送ケーブルによりプリンターと接続して、直接プリンターから出力を行う。しかしデータ、情報は工作機ユニット稼動時には必ず記録の保存を行わなければならない点から、毎日徐々に生成するリストにより紙は多くなり、情報の保存が不便になり、スペースを占拠する。且つ使用者が以前のファイリングした情報を探す際に、情報の多さゆえに検索時に不便を強いられてしまう。
【０００５】
（２）使用者がもう一台のパソコンを設置して、工作機ユニットとつないで転送を行い、該工作機ユニットの稼動により生成したデータ、情報は直接コンピュータに転送されファイルを作成し、電子ファイルとなり使用者のファイリングによる保存及び探し出すことを便利にすることが行われている。しかしコンピュータを使用した場合、体積は比較的大きく、仕事環境から見れば適切ではなく、さらに工作機ユニットと接続するコンピュータを設ける必要があり、該コンピュータが必要とするコストも比較的高く、実用性が乏しく、経済的なメリットを有しない。
【課題を解決するための手段】
【０００６】
信号をリアルタイムに転送及び記憶するプロセッサー構造であって、マザーボード及びディスプレイを備え、マザーボードは電源入力ポート、プロセッシングコア、信号出力ポート、記憶装置及びイメージ出力ポートを備え、電源入力ポートは、導線によって電源に外接し、マザーボードとディスプレイに電源を供給し、プロセッシングコアは、内部に処理プログラムが書き込まれ、信号入力ポート及び記憶装置とそれぞれ接続し、信号入力ポートは転送ケーブルにより工作機ユニットの出力ポートと接続し、工作機ユニットが稼動し始め、データが出力される際、リアルタイム的に信号入力ポートからマザーボード内部のプロセッシングコアに入って整理され、記憶装置はプロセッシングコアで整理された信号を直接ファイルに書き込み、該記憶装置はメモリーカードを挿入するための拡張スロットを有し、ディスプレイは信号コネクタによりマザーボードのイメージ出力ポートと接続する。上記により信号をリアルタイムに転送及び記憶するプロセッサー構造を構成する。
【考案の効果】
【０００７】
従来技術に比較した場合の効果は以下のとおりである。
【０００８】
（１）本考案は直接信号入力ポートと信号を出力する工作機ユニットとを接続させ、該工作機ユニットが稼動しデータが生成される際、直接信号入力ポートからマザーボード内に入り、次にプロセッシングコアにより整理されて記憶装置内に書き込まれ、情報及びデータのファイル作成及び保存を実現する。これによりペーパーレス化保存方式を実現し、これにより紙の使用を減少され、情報保存及び探す際の便利性を高めることができる。
【０００９】
（２）該構造の体積は比較的小さく、さらに信号を出力する工作機ユニットと直接接続し、該構造は使用において環境の制限を受けず、さらに有効的にパソコンの替わりとなり、情報、データの保存が可能で、必要なコストも比較的低く、使用における実用性を有するものである。
【図面の簡単な説明】
【００１０】
【図１】図１は、本考案の立体図である。
【図２】図２は、本考案の構造ブロック図である。
【図３】図３は、本考案の使用状態を示すブロック図である。
【図４】図４は、本考案のディスプレイの表示状態を示す模式図である。
【図５】図５は、本考案のもう一つの好適な実施例である。
【図６】図６は、本考案のさらにもう一つの好適な実施例である。
【考案を実施するための形態】
【００１１】
本考案の目的、特徴及び効果をさらに理解しやすくするために、以下に図面を参照して実施例を列挙して、下記のように詳細に説明する。
＜実施例＞
【００１２】
まず、図１、２を参照する。信号をリアルタイムに転送及び記憶するプロセッサー構造であって、マザーボード（１０）及びディスプレイ（２０）、及びカバー用筐体（３０）を備え、マザーボード（１０）は電源入力ポート（１１）、プロセッシングコア（１２）、信号出力ポート（１３）、記憶装置（１４）及びイメージ出力ポート（１５）を備え、電源入力ポート（１１）は、導線により電源に外接し、マザーボード（１０）とディスプレイ（２０）に電源を供給する。該電源入力ポート（１１）はＵＳＢユニバーサルシリアルバスとすることができ、これによりパソコンと接続して電源の入力をすること、またはデータの転送ができる。プロセッシングコア（１１）は、内部に処理プログラムが書き込まれ、信号入力ポート（１３）及び記憶装置（１４）とそれぞれ接続する。信号入力ポート（１３）は一つの転送ケーブルにより工作機ユニットの出力ポートと接続し、該信号入力ポートはＲＳ−２３２、ＲＳ−４２２またはＲＳ−４８５等のデジタル信号を転送するシリアル、パラレルポート、または４〜２０ｍＡまたはＤＣ０〜１０Ｖ等のアナログ信号を転送するコネクタ、またはＵＳＢユニバーサルシリアルバスとすることができる。記憶装置（１４）はプロセッシングコアにより整理された信号を直接記録ファイルに書き込むためのもので、該記憶装置（１４）はメモリーカードを挿入するための拡張スロットを有し、またマザーボード（１０）の内部にさらに万年暦（１６）装置が配置され、且つ該万年暦（１６）は持続的に時間を表示できるように独立電源を有する。ディスプレイ（２０）は信号コネクタ（２１）によりマザーボード（１０）のイメージ出力ポート（１５）と接続する。カバー用筐体（３０）はマザーボード（１０）及びディスプレイ（２０）の外側を囲むように配置され、保護の役割を果たす。
【００１３】
該構造の構成及び実際の使用状況については、図３及び図４を参照すること。該ディスプレイ（２０）は信号コネクタ（２１）を介してマザーボード（１０）のイメージ出力ポート（１５）と接続して、さらに電源出力ポート（１１）を介して電源と外接して接続し、マザーボード（１０）及びディスプレイ（２０）の電源供給をする。よってマザーボード（１０）の信号入力ポート（１３）は工作機ユニットと接続して、工作機ユニットが稼動し始めデータが出力されるとき、データはリアルタイムに信号入力ポート（１３）からマザーボード（１０）内のプロセッシングコア（１２）に入り、これにより該データは整理された後、ディスプレイ（２０）によって表示され、さらには記憶装置（１４）内のメモリーカード内に記憶され、これにより情報の転送及び記憶を実現する。またはディスプレイ（２０）から直接情報、データを見ることができる。記憶装置（１４）に挿入した記録カードは他のコンピュータに挿入して読み取り、修正及び編集できるという機能を奏する。さらにはマザーボード（１０）に万年暦（１６）装置が設けられ、これにより工作機ユニットのファイル作成、保存の便利性を高めることができる。
【００１４】
また、該マザーボード（１０）にはさらにもう一つの信号出力ポート（１７）が設けられる。次は図５を参照する。該構造は該信号出力ポート（１７）が直接コンピュータまたはプリンターと接続し、これにより該記憶装置（１４）内の情報データをさらにパソコン内に導入し、またはプロセッシングコア（１２）により整理された情報をプリンターからリアルタイムに出力することができる。
【００１５】
また、該マザーボード（１０）はさらにキーボードコネクタ（１８）を有する。図６を参照すること。これはキーボードの接続に用いるものである。これにより直接ディスプレイ（２０）で見ることができ、整理後に記憶装置（１４）内に書き込まれた情報を、さらにキーボードによって修正、編集でき、該構造の使用の便利性を高めることができる。
上記の具体的な実施例で示した構造により、以下の効果を奏することができる。
【００１６】
（１）本考案は直接信号入力ポート（１３）と信号を出力する工作機ユニットとを接続し、該工作機ユニットが稼動しデータを生成する際、データは信号入力ポート（１３）から直接マザーボード（１０）内に入り、プロセッシングコア（１２）により整理されて記憶装置（１４）内に書き込まれ、これによって情報、データのファイル作成及び保存ができるという効果を達成する。これによりペーパーレスの保存方式を実現し、これにより紙の使用を減らし、情報の保存方式の便利性を高めることができる。
（２）該構造の構成は体積が比較的小さく、さらには信号を出力する工作機ユニットと直接接続でき、該構造は使用上において環境の制限を受けず、且つ有効的にパソコンの替わりとなり、情報及びデータの保存ができ、且つコストも比較的低く、使用における実用性を備えている。
【００１７】
上記で述べられているのは、本考案の好適な実施例であり、これにより本考案の実施の範囲を制限するものではない。本考案の請求の範囲から行った均等的な変化や修正も、本考案のカバーする範囲内に属する。
【産業上の利用可能性】
【００１８】
本考案は、工作機ユニットと共に使用することができる。
【符号の説明】
【００１９】
１０  マザーボード
１１  電源入力ポート
１２  プロセッシングコア
１３  信号入力ポート
１４  記憶装置
１５  イメージ出力ポート
１６  万年暦
２０  ディスプレイ
２１  信号コネクタ
【図１】
0003177922.tif 000003
【図２】
0003177922.tif 000004
【図３】
0003177922.tif 000005
【図４】
0003177922.tif 000006
【図５】
0003177922.tif 000007
【図６】
0003177922.tif 000008